(57)【要約】【課題】日常の生活の中で、わずらわしい操作なしに衣類の重量の影響を受けない正確な体重を計測することを可能とする。【解決手段】測定部１にかかる重量を検出する重量検出手段３ａ〜ｄは衣類５ａ、５ｂの重量を含んだ使用者の重量を検出する。一方、衣類重量情報読取手段７は使用者の衣類から発信される衣類の重量情報を読取る。そして演算手段８が、重量検出手段が検出した衣類の重量を含んだ使用者の重量から衣類重量読取手段７が読取った衣類の重量を減算するので、使用者の体重だけが算出できる。したがって使用者は衣類の重量を測定したりその重量を入力したりするわずらわしい操作をすることなく、簡単に正確な体重を計測することが可能になる。【選択図】図１
2006162459.tif 000002
【特許請求の範囲】
【請求項１】
測定部にかかる重量を検出する重量検出手段と、使用者の衣類から発信される衣類の重量情報を読取る衣類重量情報読取手段と、前記重量検出手段の検出した測定部にかかる重量から前記衣類重量情報読取手段で読取った衣類の重量を減算し使用者の体重を算出する演算手段を有する体重測定装置。
【請求項２】
衣類は衣類の重量情報を記録した非接触ＩＣタグを備え、衣類重量情報読取手段は前記非接触ＩＣタグの情報を読取る請求項１記載の体重測定装置。
【請求項３】
演算手段により算出された体重を表示する体重表示器と、衣類重量情報読取手段で読取った衣類の重量情報を表示する衣類重量表示器を更に有する請求項１記載の体重測定装置。
【請求項４】
演算手段により算出された体重を表示する体重表示器と、重量検出手段が検出した測定部にかかる重量を表示する総重量表示器を更に有する請求項１記載の体重測定装置。
【請求項５】
体重表示器と衣類重量表示器または総重量表示器は、衣類重量情報読取手段が衣類の重量情報を読取ると表示を開始する請求項３または４記載の体重測定装置。
【請求項６】
請求項１〜５記載の体重測定装置の機能の少なくとも一部をコンピュータに実行させるためのプログラム。
【発明の詳細な説明】
【技術分野】
【０００１】
本発明は体重測定装置およびそのプログラムに関するものであり、衣類の重量の影響を受けず正確に使用者の体重を測定する技術に関するものである。
【背景技術】
【０００２】
従来より健康管理のために日々体重を計測して管理することの大切さは知られていて、そのための体重計は広く普及している。そして体重計測は衣類の重量の影響を受けないようにするためには裸になって計測することで正確な体重計測が可能となり、一般には入浴の前や後など裸になる機会に計測することが多い。
【０００３】
しかし家庭では風呂の脱衣場所はあまり広くなく、洗面所を兼ねる場合が多く、体重計を常時置いておくと邪魔になる場合が多い。そのために体重計の小型化や薄型化などの工夫がされているものの、棚などに収納されている場合が多い。そうするとどうしてもわざわざ体重計を取り出すのが面倒なため毎日体重計測する習慣がなかなかできない。
【０００４】
これらの課題を解決して、日常的に無意識のうちに体重計測することを目的として、たとえば、床に重量検出手段を設置、表示部を机上に設けることで、被測定者がその場に立ちさえすれば、特に操作を必要とすることなく、日常の健康管理に関する自己の情報が把握され、容易に自己の健康管理を行うことができる健康管理システムが公開されている(特許文献１)。
【特許文献１】特開２００３−３１５１４２号公報
【発明の開示】
【発明が解決しようとする課題】
【０００５】
しかしながら、特許文献１に示されている方法は、日常空間の中で机を置いている場所、つまり居間や書斎などを想定しており、このような状況においては脱衣所で測定されるように裸になって体重を測定するということはまずありえることではない。そのために衣類の重量が加算された体重を計測することしかできず、衣類の重量の影響を受けて正確に体重計測できないという課題が発生してしまう。
【課題を解決するための手段】
【０００６】
前記従来の課題を解決するために、本発明の体重測定装置およびそのプログラムは、測定部にかかる重量を検出する重量検出手段と、使用者の衣類から発信される衣類の重量情報を読取る衣類重量情報読取手段と、前記重量検出手段の検出した測定部にかかる重量から前記衣類重量情報読取手段で読取った衣類の重量を減算し使用者の体重を算出する演算手段を有するものである。
【０００７】
これによって、測定部にかかる重量を検出する重量検出手段は衣類の重量を含んだ使用者の重量を検出する。一方、衣類重量情報読取手段は使用者の衣類から発信される衣類の重量情報を読取る。そして演算手段が、重量検出手段が検出した衣類の重量を含んだ使用者の重量から衣類重量読取手段が読取った衣類の重量を減算するので、使用者の体重だけが算出できる。したがって使用者は衣類の重量を測定したりその重量を入力したりするわずらわしい操作をすることなく、体重測定装置で簡単に正確な体重を計測することが可能になる。
【発明の効果】
【０００８】
本発明の体重測定装置およびそのプログラムは、測定部にかかる重量を検出する重量検出手段により衣類の重量を含んだ使用者の重量を検出し、衣類重量情報読取手段により使用者の衣類から発信される衣類の重量情報をし、演算手段により、重量検出手段が検出した衣類の重量を含んだ使用者の重量から衣類重量読取手段が読取った衣類の重量を減算するので、使用者の体重だけが算出できる。
【０００９】
したがって使用者は衣類の重量を測定したりその重量を入力したりするわずらわしい操作をすることなく、体重測定装置で簡単に正確な体重を計測することが可能になり、脱衣所以外の日常空間の中で体重を計測できるので、自然な生活習慣を崩すことなく容易に毎日の体重計測結果に基づいた健康管理を行うことが可能となる。
【発明を実施するための最良の形態】
【００１０】
第１の発明は、体重測定装置は、測定部にかかる重量を検出する重量検出手段と、使用者の衣類から発信される衣類の重量情報を読取る衣類重量情報読取手段と、前記重量検出手段の検出した測定部にかかる重量から前記衣類重量情報読取手段で読取った衣類の重量を減算し使用者の体重を算出する演算手段を有する構成としたものである。
【００１１】
これにより、測定部にかかる重量を検出する重量検出手段により衣類の重量を含んだ使用者の重量を検出する。一方、衣類重量情報読取手段により使用者の衣類から発信される衣類の重量情報を読取る。そして演算手段により、重量検出手段が検出した衣類の重量を含んだ使用者の重量から衣類重量読取手段が読取った衣類の重量を減算するので、使用者の体重だけが算出できる。したがって使用者は衣類の重量を測定したりその重量を入力したりするわずらわしい操作をすることなく、体重測定装置で簡単に正確な体重を測定することが可能になる。
【００１２】
第２の発明は、特に、第１の発明の衣類を、衣類の重量情報を記録した非接触ＩＣタグを備えた構成とし、また衣類重量情報読取手段は前記非接触ＩＣタグの情報を読取る構成とすることにより、衣類の重量情報を読取ることが可能となり、正確な衣類の重量を認識できる。
【００１３】
第３の発明は、特に、第１の発明に、更に演算手段により算出された体重を表示する体重表示器と、衣類重量情報読取手段で読取った衣類の重量情報を表示する衣類重量表示器を有する構成とすることにより、使用者に体重が算出された根拠を知らせることができ、使用者に信用を与えることができる。
【００１４】
第４の発明は、特に、第１の発明に、更に演算手段により算出された体重を表示する体重表示器と、重量検出手段が検出した測定部にかかる重量を表示する総重量表示器を更に有する構成とすることにより、使用者に体重が算出された根拠を知らせることができ、使用者に信用を与えることができる。
【００１５】
第５の発明は、特に、第３または第４の発明の体重表示器と衣類重量表示器または総重量表示器は、衣類重量情報読取手段が衣類の重量情報を読取ると表示を開始する構成とすることにより、非使用時には表示をせずに必要なときに表示して消費電力を節約することができる。
【００１６】
第６の発明は、第１〜５の発明に記載の体重測定装置の機能の少なくとも一部をコンピュータに実行させるためのプログラムである。そして、プログラムであるので、電気・情報機器、コンピュータ等のハードリソースを協働させて本発明の体重測定装置の少なくとも一部を容易に実現することができる。また記録媒体に記録したり通信回線を用いてプログラムを配信したりすることでプログラムの配布・更新やそのインストール作業が簡単にできる。
【００１７】
以下、本発明の実施の形態について、図面を参照しながら説明する。なお、この実施の形態によって本発明が限定されるものではない。
【００１８】
（実施の形態１）
図１は本発明の第１の実施の形態を説明する構成図である。測定部１は使用者の体重を支えるために４箇所に足２ａ〜２ｄを備えている。それぞれの足２ａ〜２ｄには重量検出手段としてストレンゲージ３ａ〜３ｄを取り付けている。ストレンゲージ３ａ〜３ｄはそれぞれの足２ａ〜２ｄにかかる圧力（重量）を電圧に変換するセンサである。４は重量算出器であり、ストレンゲージ３ａ〜３ｄで出力された電圧を増幅する増幅器やＣＰＵなどの演算器を備えていて、ストレンゲージ３ａ〜３ｄで検出された重量を全て足し合わせ、また予め知られている測定部１の重量を減算して測定部１にかかる重量として算出するものである。
【００１９】
５ａ、５ｂは衣類であり、それぞれは非接触ＩＣタグ６ａ、６ｂを縫い付けていて、非接触ＩＣタグ６ａ、６ｂには少なくとも衣類５ａ、５ｂの重量の情報が登録されている。また７は衣類情報読取手段の非接触ＩＣタグリーダである。非接触ＩＣタグ６ａ、６ｂは電池を内蔵しないが、非接触ＩＣタグリーダ７が発生させる電磁波領域内に入ると電磁波により励起され、非接触ＩＣタグ６ａや６ｂに電源が供給される。非接触ＩＣタグリーダ７が発生する電磁波にはコマンドが含まれているので、そのコマンドを非接触ＩＣタグ６ａや６ｂが受け取ると、衣類５ａや５ｂの衣類情報を含むデータを非接触ＩＣタグリーダ７に返答するというものである。
【００２０】
また８は演算手段であり、例えばＣＰＵなどを含む構成で、このＣＰＵは重量算出器４のＣＰＵと共通のものであってよい。演算手段８では重量算出器８で算出された測定部１にかかる重量から非接触ＩＣタグリーダ７で読み込まれた各衣類５ａや５ｂの重量を減算する演算を行うものである。この演算を行うことで、測定部１にかかる重量、即ち使用者の体重と衣類の重量の合算した重量から、衣類５ａや５ｂの重量を減算できるので、使用者の体重のみを導き出すことができる。
【００２１】
９は表示手段である。表示手段９は総重量を表示する総重量表示器９ａと、衣類の重量を表示する衣類重量表示器９ｂと、体重を表示する体重表示器９ｃを有するもので、液晶表示器や、７セグメントのＬＥＤなどにより構成している。表示手段９は演算手段８から演算結果の体重の他、演算に使った測定部１にかかる重量や、衣類５ａや５ｂの重量を受け取り、測定部１にかかる重量を総重量表示器９ａに表示し、５ａや５ｂなど衣類の重量の和を衣類重量表示器９ｂに表示し、それらより演算した結果の体重を体重表示器９ｃに表示するものである。
【００２２】
このように演算結果の体重だけでなく、その演算の根拠となった総重量や衣類重量を表示することで、使用者の信用を確保できる。また万一、正しく測定できず、体重が異常値となった場合、測定部１にかかる重量の検出が異常なのか、衣類の重量を読み込む異常なのかを区別することもできる。
【００２３】
次に図２により、非接触ＩＣタグ６ａや６ｂの例を示す。非接触ＩＣタグ６は例えば図２に示すようにプラスチック等の基材１０にコイルパターン１１を形成し、コイルと容量素子とにより共振回路を形成して一定周波数の電波を受信して送信することができる。図２の場合、コイルパターン１１は導通部材１２により基材１０の裏面でジャンピング回路を形成してコイル接続端子１３によりＩＣチップ１４の裏面のバンプに接続している。ＩＣチップ１４は容量素子を内蔵している。このような非接触ＩＣタグ６はプラスチック基材に銅箔等の金属箔を設けて、金属箔をパターンエッチングして形成することが多い。非接触ＩＣタグリーダ７との交信には一般には１３５ｋＨｚ、１３．５６ＭＨｚ、２．４５ＧＨｚの周波数帯を使用する。
【００２４】
次に図３のフローチャートにより本実施形態の動作の流れを説明する。最初にステップＳ１において非接触ＩＣタグリーダ７が何らかの重量情報を非接触ＩＣタグ６から受け取るかどうかを監視する。即ち、非接触ＩＣタグ６を含む衣類５を着用した使用者が近づいてくると重量情報を受け取ることができ、重量情報を受け取らなければ使用者が近くにいないことになるので、使用者が近づいたかどうかを判定することができる。使用者が近づいて非接触ＩＣタグから重量情報の読取りがあればステップＳ２に進む一方、読取がなければ、ステップＳ１を繰り返し、使用者が近づくことを待つ。
【００２５】
ステップＳ２においては、衣類の重量総和を表す変数Ｗａを０に初期化し、また衣類の枚数を表すカウンタｉを１に初期化してステップＳ３に進む。ステップＳ３においては、非接触ＩＣタグリーダ７は各非接触ＩＣタグから重量情報Ｗａｉを読取り、ステップＳ４に進む。ステップＳ４では読取ったＷａｉを重量総和Ｗａに加算するとともに、カウンタｉをカウントして、ステップＳ５に進む。ステップＳ５においては、他に重量情報を送信する非接触ＩＣタグがあるかどうかを調べ、なければステップＳ６に進む一方、あればステップＳ３からＳ５を繰り返す。
【００２６】
ステップＳ５で他に重量情報を送信している非接触ＩＣタグがあるかどうかを調べる方法については、一般的な衝突防止方法で調べることが可能であり、即ち非接触ＩＣタグリーダ７側から可能性のあるビットの組み合わせを順番に送信し、それに合致する非接触ＩＣタグ６がその送信に反応して重量情報を返信するという方法である。また全く同じ重量の衣類を複数着用している場合も考慮して、重量情報以外に区別のつく情報（例えば識別符号ＩＤなど）を予め非接触ＩＣタグに持たせておけばよい。
【００２７】
次にステップＳ６においては、測定部にかかる重量の総和を表す変数Ｗｂを０に初期化して、ステップＳ７に進む。ステップＳ７からＳ９は繰り返す処理であり、繰り返し回数はカウンタｉで４回カウントするまで処理を繰り返す。ステップＳ８ではストレンゲージ３により重量Ｗｂｉを検出する。そしてステップＳ９では測定部の重量総和Ｗｂに検出した重量Ｗｂｉを加算する。この処理を４回繰り返すと、４箇所のストレンゲージ３の検出する重量の和がＷｂに足しあわされることとなり、Ｗｂは測定部にかかる総重量となる。そしてステップＳ１０に進む。
【００２８】
なお、ステップＳ７でカウンタｉを４回カウントとしたが、これはストレンゲージの個数に応じて異なる。
【００２９】
ステップＳ１０においては、測定部１にかかる重量総和Ｗｂから衣類の重量総和Ｗａと予め定めた既知の定数である測定部１の重量Ｗｃを減算することで、使用者の体重Ｗを演算する。そしてステップＳ１１では体重Ｗを体重表示器９ｃに表示し、衣類の重量総和Ｗａを衣類重量表示器９ｂに表示し、総重量Ｗｂを総重量表示器９ａに表示する。
【００３０】
ステップＳ１２では、再度、非接触ＩＣタグリーダー７が何らかの重量情報を読取れるかを調べる。読取れるようであれば、非接触ＩＣタグ６を含む衣類５が近くにある、即ち使用者が測定部１を使用中ということで、ステップＳ６に戻り、上記処理を繰り返す。読取れなければ、非接触ＩＣタグ６を含む衣類が近くにない、即ち測定部１は使用中されていないと判断してステップＳ１３に進む。ステップＳ１３では各表示器の表示を消灯して処理を終了する。
【００３１】
本実施の形態において、図３のフローチャートでは、非接触ＩＣタグリーダが重量情報を読取れなくなったところで、表示を消灯すると説明したが、これは省エネルギー効果のために最も電力消費の大きい表示を消すこととしたが、他にも重量検出のために使っている電源を停止するなどして、更に電力消費を抑制することができる。
【００３２】
なお、重量検出手段としてストレンゲージを用いて説明したが本発明はこれに限定されるものでなく、重量を検出できれば他の手段であっても良い。
【００３３】
また、本実施の形態では非接触ＩＣタグに衣類の重量情報が登録されているものとしているが、非接触ＩＣタグには衣服の製品番号のような管理ＩＤのみが記憶されていても構わない。その場合には、測定部がインターネットのようなネットワークを通じて外部のデータベースと接続されており、衣服の管理ＩＤを元にデータベースより衣類の重量を取得することで本装置を構成することが可能である。ここで、ネットワークはインターネットのみならず、専用線やＬＡＮ等のネットワークを用いても同様の装置を構築することが可能であり、本システムは通信回線に依存しない。
【００３４】
また、本実施の形態では表示手段として、総重量表示器９ａ、衣類重量表示器９ｂ、体重表示器９ｃを備えているが、これを全て備える必要はなく、例えば、体重表示器９ｃと衣類重量表示器９ｂ、体重表示器９ｃと総重量表示器９ａの組み合わせで備えても良い。そしてこの表示手段は測定部が備えていても構わないが、有線もしくは無線によって重量検出手段と接続されている構成であっても構わない。
【００３５】
このような構成であれば、例えば部屋の入り口や玄関等に重量検出手段を設置し、体重表示手段を携帯電話や腕時計、ＰＣ等にて実現することも可能であり、より容易に体重を計測し、更にそのデータを他の機器に蓄積したり、他の機器を用いて集計したりすることができる。このため体脂肪計や血圧計等のデータを集計するＰＣ上で動作する健康管理アプリケーションと併用するシステムを容易に組むことが可能であり、煩わしい入力操作も必要としないので、より簡単な健康管理システムを提供することが可能となる。
【００３６】
なお、本実施の形態で説明した演算手段や重量算出器等は、ＣＰＵ（またはマイコン）、ＲＡＭ、ＲＯＭ、記憶・記録装置、Ｉ／Ｏなどを備えた電気・情報機器、コンピュータ等のハードリソースを協働させるプログラムの形態で実施してもよい。プログラムの形態であれば、磁気メディアや光メディアなどの記録媒体に記録したりインターネットなどの通信回線を用いて配信したりすることで、新しい機能の配布・更新やそのインストール作業が簡単にできる。
【産業上の利用可能性】
【００３７】
以上のように、本発明にかかる体重測定装置およびそのプログラムは、使用者が日常的に使用する空間内でも衣類の重量の影響なく正確に体重を測定できるので、毎日の体重を測定して記録し、それを基に生活指導などを行うような健康管理機器にも応用可能である。
【図面の簡単な説明】
【００３８】
【図１】本発明の実施の形態１における体重測定装置の構成の説明図
【図２】同実施の形態における体重測定装置の非接触ＩＣタグの説明図
【図３】同実施の形態における体重測定装置の動作の流れを説明するフローチャート
【符号の説明】
【００３９】
１  測定部
２ａ〜２ｄ  足
３ａ〜３ｄ  重量検出手段
４  重量算出器
６ａ〜６ｂ  非接触ＩＣタグ
７  衣類重量情報読取手段
８  演算手段
９ａ  総重量表示器
９ｂ  衣類重量表示器
９ｃ  体重表示器
１０  基材
１１  コイルパターン
１２  導通部材
１３  コイル接続端子
１４  ＩＣチップ
【図１】
2006162459.tif 000003
【図２】
2006162459.tif 000004
【図３】
2006162459.tif 000005